(57)【特許請求の範囲】
【請求項１】
長方形状フレームの短辺の中央下方に前記長辺方向に沿って設けられた竿部を有し、前記竿部の上方に支持部を有し、 前記支持部の両端が前記フレームの短辺部中央部に固定され、前記フレームの竿部の一端 が前記短辺部の一方の辺の中央側に回動可能に取り付けられ、前記竿部を回動して折り畳 み可能とし、前記竿部の他端が前記短辺部の他方の辺の 中央側に着脱可能に係止され、前記フレームに保持用凹凸部を形成したことを特徴とする ハンガー。
【請求項２】
長方形状フレーム短辺の長さを前記フレームの長辺の長さの１／３以下としてなる請求項1 記載のハンガー。
【請求項３】
支持部に S 字状フックを有し、前記 S 字状フックの上のカーブと下のカーブの両カーブをポールへの装着部としてなる請求項1記載のハンガー。
【発明の詳細な説明】
【技術分野】
【０００１】
本発明は衣類等を掛ける為のハンガーに関する。
【背景技術】
【０００２】
従来のハンガーは既に複数のピンチを等間隔で施したものがある。
【先行技術文献】
【特許文献】
【０００３】
【特許文献１】特開２０１３−１２６４３４
【発明の概要】
【発明が解決しようとする課題】
【０００４】
従来技術のハンガーは等間隔で既成のピンチが取り付けられていて樹脂でできているために経年劣化でピンチが壊れても容易に新たにピンチを取り替えることもできないこと、ピンチを用いて衣類等を掛ける必要がある。両手で扱わないと衣類等を掛けることができない欠点がある。
【課題を解決するための手段】
【０００５】
本発明は衣類等を様々な仕様で掛けて干すことや収納にも使用できるハンガーで、ハンガーにピンチを容易に取り替えることができ、片手で衣類等を掛けることができるハンガーを提供する。
本発明は長方形状のフレームの長辺方向の中央下方に竿部を有し、前記竿部の上方に支持部を有し、前記支持部の両端が前記フレームの短辺部中央部に固定され、前記フレームの竿部の一端が前記短辺部の一方の辺の中央部に固定され、前記竿部の他端が前記短辺部の他方の辺の中央部に係止され、前記フレームに保持用凹凸部を形成したことを特徴とするハンガーを提供する。そして、本発明の上記ハンガーにおいて、フレームの短辺の長さが、前記フレームの長辺の長さの１/３以下であるハンガーを提供する。また、本発明は支持部にS字状フックを有し、前記S字状フックの上のカーブと下のカーブの両カーブをポールに掛けることができるハンガーを提供する。
【発明の効果】
【０００６】
本発明は、一定量の衣類等を小狭スペースに干したいときにも効率的に早く均等に乾かすことができ目隠しをしたい物を干すこともでき、凹凸部にピンチを取り付けることでピンチが壊れても取り替えができるので経済的にも優れ、両手で衣類等を掛けることができない時も片手で凹凸部に掛けることが可能である。収納時にはスカートに既に付いている紐を利用して複数枚掛けることができ、スカーフやネクタイやベルトなど伸ばして掛けることでたたみ皺を無くし何が掛っているか一目瞭然でコンパクトに効率良く収納が可能となる。また、移動時や収納時には折り畳んで使用できる。
【図面の簡単な説明】
【０００７】
【図１】本発明のハンガーの全体斜視図。
【図２】支持部と竿部の係止状態の部分拡大図。
【図３】支持部より竿部端部を外した時の部分拡大図。
【図４】ハンガーの使用状態図。
【図５】ハンガーの他の使用状態図。
【図６】凹凸部拡大図。
【図７】クローゼット収納使用状態図。
【図８】ハンカチを凹凸部に直接掛けた時の使用例の拡大図。
【図９】スカートのウエスト部にある紐を凹凸部に直接掛けた時の使用例の拡大図。
【図１０】フード付きトレーナーを干した時の使用状態図。
【図１１】本発明のハンガーを折り畳んだ時の状態図。
【発明を実施するための形態】
【０００８】
以下、本発明の実施の形態を図1から図11に基づいて説明する。
【０００９】
図1においては、１は本発明のハンガーをポールに掛ける時に使用するS字状フックで、上のカーブ１a又は下のカーブ１bをポールに引っ掛けてポールに吊り下げることができる。長方形フレーム２、衣類等を掛けたり紐付きピンチを掛ける時に使用する凹凸部３が１２個形成されS字状フック１は支持部５の中心部に固定されている。支持部５の両端はフレーム２の両短辺の中心部と一体化されている。支持部５の下方にある竿部４は固定部４bで支持部５に固定され引掛部４ａで支持部５に係止され、ここで解放可能となっている。なお、フック１、支持部５、フレーム２、竿部４はすべて金属又は樹脂で作成すればよいが望ましくは耐久性、加工性を考えると金属が良い。フック１と支持部５は例えばフック１の端部をリング状にして取り付けフック１を折り畳める構造とする。例えば支持部５の両端とフレーム２は、金型にて一体成型され、図２，３に示すごとく、引掛け部４ａをカギ状にして支持部５に引掛ける構造とする。竿部４の固定部４ｂは図２，３に示すごとくリング状とし支持部５に回動可能に取り付けられている。
【００１０】
図４においては、長方形フレーム２の両長辺にタオルを直接掛けピンチ６で固定し、竿部４の端部４ａの係止部分を外し下着類９を通し長方形フレーム２の両長辺に掛けたタオル７，８で目隠しした使用状態である。
【００１１】
図５においては、長方形フレーム２の凹凸部３に紐付きピンチ６ａを掛け、そのピンチを利用してタオル１２を他辺に掛けもう他辺に靴下１０とハンカチ１１を掛け長方形フレーム２の中央下方にある竿部４にタオル１３を掛けた使用状態である。
【００１２】
図６は、長方形フレーム２を加工して形成された凹凸部３(凹部３bと凸部３aを有している)の拡大図である。
図である。
【００１３】
図７においては、長方形フレーム２の他辺両端にある凹凸部３にスカート１４の紐を掛け、長方形フレーム２のもう他辺両端にある凹凸部３にスカート１５を掛け、竿部４には、ネクタイ１６、スカーフ１７、パンティーストッキング１８を掛け、長方形フレーム２の他辺にある凹凸部３にハンカチ１９を掛けてクローゼットなどに収納した使用状態である。
【００１４】
図８は、凹凸部３の凹部３bにハンカチ１９を掛けた使用状態を示す。
【００１５】
図９においては、長方形フレーム２にある凹凸部３にスカート１５を掛けるに際してスカートひも１５aを凹部３bと凸部３aに掛けた使用状態を示す。
【００１６】
図１０は、長方形フレーム２にある８個の凹凸部３にそれぞれ紐付きピンチ６を掛けてフード付きトレーナー２０を下向きに筒状に干した使用例を示す。この図に示すようにS字状フック１の上カーブ１aまたは下カーブ１bのどちらかにポール３０(破線で示す)を掛けることでポール３０に対するフレーム２及び竿部４の高さを変えることができる。
【００１７】
図１１においては、支持部５の真下にある竿部４を回動させて支持部５と平行にし、さらにS字状フック１を回動して折り畳んだ時の状態図である。フレーム短辺h（例えば１２〜１８ｃｍ程度）はフレーム長辺の長さHの１/３以下とし、長辺Hを例えば４５〜６０ｃｍ程度にすることにより、小狭スペースに効率的に衣類等を掛けることができる。またさらにこのハンガーは、クローゼットへの収納にも使用でき、何が掛っているかも見やすい。
【００１８】
本発明のハンガーは、長方形フレーム２にある凹凸部３に紐付きピンチを掛け、洗濯物のタートルネック、フード付きトレーナー等の裾を上にして逆さまにし胴まわりを筒状に干すことで布が重なり乾きにくかった部分や袖、襟、フード部分が下に広がることで衣類全体が均一に乾くことができ型崩れを少なく干すことができる。片手で凹凸部３にタオルの一端を引っ掛けて仮止めしておき、同じ手でピンチでタオルの一端を固定しておき、同タオルの他端を同片手で別の凹凸部に引っ掛けておき別のピンチで固定することができる。すなわち、以上の作業をすべて片手で行うことができる。長方形フレーム２の両サイドにタオルなどを掛け直接ピンチでタオルを固定し竿部４に下着等を掛けると目隠しして干すことができる。ハンガーのS字状フック１はポールに掛ける時フックの上下両カーブを用いて上下に位置を変えることができるので衣服と床の間の高さを変ええることができ、低い位置で干した時に上にあげることができる。また、凹凸部を利用し、紐の長さを調節し長さの異なる紐付きピンチで例えばタオルを掛け斜めに干すことで早く乾く。さらに長方形フレーム２の中央下方に竿部４があることは一段下がった状態であるために衣類等を掛けることが容易である。クローゼット内にハンガーを収納して使用するときには、ベルトやスカーフ、ネクタイ、スカート等を重ねてかけて収納することで折り皺や型崩れを無くし効率的に収納できる。
【符号の説明】
【００１９】
１    S字状フック
１a  上のカーブ
１b  下のカーブ
２    長方形フレーム
３    凹凸部
３a   凸部
３b   凹部
４    竿部
４a   引っ掛け部
４b   固定部
５    支持部
６    ピンチ
６a   紐付きピンチ
７    タオル
８    タオル
９    下着
１０  靴下
１１  ハンカチ
１２  タオル
１３  タオル
１４  スカート
１５  スカート
１５a  スカート紐
１６  ネクタイ
１７  スカーフ
１８  パンティーストッキング
１９  ハンカチ
２０  フード付きトレーナー
３０  ポール
【要約】
【課題】一定量の衣類等を容易、多用、有効的に省スペースに掛けることを可能にし、片手で衣類等を掛けたり干したりが可能となる。
【解決手段】長方形状フレームの長辺方向の中央下方に竿部を有し、前記の竿部上方に支持部を有し、前記支持部の両端が前記フレームの短辺部中央部に固定され、前記フレームの竿部の一端が前記短辺部の一方の辺の中央部に固定され、前記竿部の他端が前記短辺部の他方の辺の中央部に着脱可能に係止され、前記フレームに保持用凹凸部を形成し、フレーム短辺h（例えば12〜18ｃｍ程度）はフレーム長辺の長さHの1/3以下、長辺H（例えば45〜60ｃｍ程度）にすることにより、小狭スペースに効率的に衣類等を掛けることができる。またさらにクローゼットへの収納にも使用でき何が掛っているか見やすいことを特徴としたハンガー。
【選択図】    図１【図１】
0006046791.tif 000002
【図２】
0006046791.tif 000003
【図３】
0006046791.tif 000004
【図４】
0006046791.tif 000005
【図５】
0006046791.tif 000006
【図６】
0006046791.tif 000007
【図７】
0006046791.tif 000008
【図８】
0006046791.tif 000009
【図９】
0006046791.tif 000010
【図１０】
0006046791.tif 000011
【図１１】
0006046791.tif 000012